【事件の表示】
　特願２０１２−１５４７５５号「遊技機」拒絶査定不服審判事件〔平成２４年１０月１１日出願公開、特開２０１２−１９２２３１号〕について、次のとおり審決する。
【結　論】
　本件審判の請求は、成り立たない。
【理　由】
第１　手続の経緯
　本願は，平成１６年２月１６日に出願した特願２００４−３８５８９号の一部を平成２４年７月１０日に特願２０１２−１５４７５５号として新たな特許出願をしたものであって，平成２６年８月１日付けで拒絶査定がなされ，それに対して，同年１０月２２日に拒絶査定不服審判の請求がなされ，当審において，平成２８年３月２８日付けで拒絶の理由が通知され，これに対し同年５月１２日付けで意見書及び手続補正が提出されたものである。 
第２　本願発明について
１　本願発明
　本願の請求項１〜３に係る発明は，平成２８年５月１２日付けの手続補正により補正された特許請求の範囲の請求項１〜３に記載されたとおりのものであるところ，請求項１に係る発明（以下「本願発明」という。）は，次に特定されるとおりのものと認める。
「【請求項１】
　図柄変動遊技を行う図柄変動遊技実行手段と，
　所定の始動信号の入力に基づき，大当たりまたははずれの抽選を行う大当たり抽選手段と，
　前記大当たり抽選手段による抽選結果が大当たりである場合に，所定の大当たり遊技を提供する大当たり遊技提供手段と，を備えた遊技機であって，
　当該遊技機による遊技の期間である遊技期間を計測する期間計測手段と，
　前記図柄変動遊技における態様を複数の態様の中から抽選する態様抽選手段と，を備え，
　該期間計測手段による計測値が所定値に到達し，前記抽選結果が大当たりである場合，前記複数の態様は，前記計測値が前記所定値に未到達のときには含まれない態様を含むことを特徴とする遊技機。」
２　当審拒絶理由の概要
　平成２８年３月２８日付けの当審における拒絶の理由の理由２−１の概要は，以下の通りである。
　
「２）本願発明１は，その出願前日本国内または外国において頒布された下記の刊行物に記載された発明又は電気通信回線を通じて公衆に利用可能となった発明であるから，特許法第２９条第１項第３号に該当し，特許を受けることができない。
・・・
 　　　　　　　　　　　　　　　　　記 
・・・
・理由２−１（２９条１項３号）・・・ 
・本願発明１に対して 
・刊行物２：特開２００３−２５１００７号公報 
（段落【００４８】，【００５１】〜【００５７】，【００７４】〜【００８０】，【００８９】〜【００９４】，【０１２１】，【０１２９】，図１〜２，６〜７，１０，１２〜１３等参照。） 
・備考 
　刊行物２には，特別遊技状態ではずれの時（図１２，Ｓ２０３〜２０４，段落【００７６】），キャラクタ表示１〜２が登録されている第１テーブルを選択して表示制御を行い，特別遊技状態でのはずれ表示（図１２，Ｓ２０８）が所定回数になった場合，第２通常遊技状態に移行し（段落【０１２９】），第２通常遊技状態ではずれの時（図１３，Ｓ３０４〜３０５，段落【００９２】），キャラクタ表示１〜２，７〜８が登録されている第３テーブルを選択して表示制御を行う点が記載されているから，本願発明１は，刊行物２に記載された発明と同一・・・である。」 
３　刊行物に記載された発明
　当審における拒絶の理由（平成２８年３月２８日付け拒絶理由通知書）に刊行物２として引用された本願の遡及出願日前に頒布された特開２００３−２５１００７号公報（以下「刊行物」という。）には，図面とともに以下の事項が記載されている（下線は当審で付した。以下同じ。）。
（１−ａ）「【００４８】
【発明の実施の形態】次に本発明の実施の形態について例を挙げて説明する。パチンコ遊技機１は，図１に示すように，始動ゲート１０，普通図柄表示装置２０，可変入賞装置３０，特別図柄表示装置４０および大入賞装置５０などを備え，これらが遊技盤６０上に配設されている。また，この
パチンコ遊技機１
【００４９】まず，本実施形態における
普通図柄遊技
普通図柄表示装置２０
遊技球が始動ゲート１０を通過する毎に作動し，小当りかはずれか
の抽選結果に対応する普通図柄を表示する
（１−ｂ）「【００５１】次に，本実施形態における特別図柄遊技を説明する。特別図柄表示装置４０は，主に，特別図柄遊技に関する情報を表示するもので（もちろん，特別図柄遊技に関する情報だけでなく，特別図柄遊技が行われていないときに表示されるデモ画面やエラーのときに表示されるエラー表示も，この特別図柄表示装置４０に表示される），該情報としては，大当り図柄（「７７７」など３つのゾロ目の特別図柄）や，はずれ図柄（「１２３」など３つがゾロ目でない特別図柄）などの図柄がある。これらのうち，
大当り図柄には，特定大当り図柄（確変図柄ともいう）と非特定大当り図柄（非確変図柄ともいう）とがあり
【００５２】この
特別図柄表示装置４０で行われる特別図柄遊技
可変入賞装置３０に遊技球が入賞することにより，
最終的に
大当り図柄，または，はずれ図柄で確定
表示される
（１−ｃ）「【００５５】マイコン７０は，
パチンコ遊技機１全体の動作を制御するＣＰＵ７２
（１−ｄ）「【００５８】［第１通常遊技状態における処理手順（第１通常遊技処理）］以下に，第１通常遊技状態における処理手順を
図１０
第１通常遊技状態における処理
ＣＰＵ７２が実行する処理
【００５９】まず，ｓ１０１の処理において，ＣＰＵ７２に入賞センサ３６からの検出信号が入力されたか否かが判断され，即ち，遊技球が可変入賞装置３０に入賞した否かが判断される。つまり，ＣＰＵ７２は，遊技に伴って遊技球が可変入賞装置３０に入賞するまで待機し（ｓ１０１：ＮＯ），遊技球が可変入賞装置３０に入賞したら（ｓ１０１：ＹＥＳ），次の処理に進み，通常の大当り確率（本実施形態では，１／３１５．５としている）に基づいて，
大当りかはずれかの抽選を行う（ｓ１０２）
【００６０】このｓ１０２の処理による
抽選ではずれが選ばれた場合（ｓ１０３：ＮＯ）
・・・
【００６２】次に，
ＣＰＵ７２は
リーチ表示を行うかどうかの抽選を行う（ｓ１０６）
【００６３】このｓ１０６の処理で
リーチ表示を行うことが選ばれた場合（ｓ１０６：ＹＥＳ）
ＣＰＵ７２は
第Ａテーブルから選択
ｓ１０７
第Ａテーブルに登録されている
リーチ表示１，２，５から１０，１４から１６
のうち，
設定された選択確率に基づいて
リーチ表示が
選択され
【００６４】こうして，ｓ１０７の処理を終えた後，または，ｓ１０６の処理で
リーチ表示を行わないことが選ばれた場合（ｓ１０６：ＮＯ），ＣＰＵ７２は
はずれ図柄の表示を
行わせ
（ｓ１０８）
【００６５】尚，ｓ１０８の処理を終えると，ｓ１０１の処理に戻る。次に，ｓ１０２の処理による
抽選で大当りが選ばれた場合（ｓ１０３：ＹＥＳ）
・・・
【００６７】次に，
ＣＰＵ７２は
第Ｂテーブルから選択
ｓ１１１
第Ｂテーブルに登録されている
リーチ表示１，３，６から１３，１５，１６
のうち，
設定された選択確率に基づいて
リーチ表示が
選択され
【００６８】次に，
ＣＰＵ７２は
大当り図柄の表示を
行わせ
（ｓ１１２）
【００６９】次に，
ＣＰＵ７２は
大当り遊技を実行させる
・・・
【００７３】一方，ｓ１１７の処理でチェックされた
大当り図柄が特定大当り図柄である場合（ｓ１１７：ＹＥＳ）
ＣＰＵ７２は
特別遊技状態に移行する（ｓ１１８）
（１−ｅ）「【００７４】［特別遊技状態における処理手順（特別遊技処理）］以下に，特別遊技状態における処理手順を
図１２
特別遊技状態における処理
ＣＰＵ７２が実行する処理
【００７５】まず，ｓ２０１の処理において，
ＣＰＵ７２
入賞センサ３６からの検出信号が入力されたか
判断され
遊技球が可変入賞装置３０に入賞した
か
判断される
ＣＰＵ７２
入賞したら
大当りかはずれかの抽選を行う（ｓ２０２）
【００７６】このように
特別遊技状態
抽選ではずれが選ばれた場合（ｓ２０３：ＮＯ）
・・・
【００７８】次に，
ＣＰＵ７２は
リーチ表示を行うかどうかの抽選を行う（ｓ２０６）
リーチ表示を行うことが選ばれた場合（ｓ２０６：ＹＥＳ）
ＣＰＵ７２は
第Ｃテーブルに登録されている
リーチ表示１，２，４，６から１０，１４から１６
のうち，
設定された選択確率に基づいて
リーチ表示が
選択され
【００７９】こうして，ｓ２０７の処理を終えた後，または，ｓ２０６の処理で
リーチ表示を行わないことが選ばれた場合（ｓ２０６：ＮＯ），ＣＰＵ７２は
はずれ図柄の表示を
行わせ
（ｓ２０８）
【００８０】尚，ｓ２０８の処理を終えると，ｓ２０１の処理に戻る。次に，ｓ２０２の処理による
抽選で大当りが選ばれた場合（ｓ２０３：ＹＥＳ），
・・・
【００８２】次に，
ＣＰＵ７２は
第Ｄテーブルに登録されている
リーチ表示３，６から１０，１３，１５，１６
のうち，
設定された選択確率に基づいて，
リーチ表示が
選択され
【００８３】次に，
ＣＰＵ７２は
大当り図柄の表示を
行わせ
（ｓ２１２）
【００８４】次に，
ＣＰＵ７２は
大当り遊技を実行させる
（１−ｆ）「【００９０】［第２通常遊技状態における処理手順（第２通常遊技処理）］以下に，第２通常遊技状態における処理手順を
図１３
第２通常遊技状態における
ＣＰＵ７２が実行する処理
【００９１】まず，ＣＰＵ７２は，変数Ｎを初期化する（ｓ３０１）。変数Ｎは，以降の処理で大当りかはずれかの抽選を行った回数をチェックする際に利用されるものである。この処理においては，
初期値として「５５」が変数Ｎにセットされ
大当りかはずれかの抽選を行う（ｓ３０３）
【００９２】このように第２通常遊技状態は，第１通常遊技状態（図１０）と同様に，特別遊技状態（図１２）よりも大当りが発生しにくい通常遊技状態である。このｓ３０３の処理による
抽選ではずれが選ばれた場合（ｓ３０４：ＮＯ）
・・・
【００９４】次に，
ＣＰＵ７２は
リーチ表示を行うかどうかの抽選を行う（ｓ３０７）
【００９５】このｓ３０７の処理で
リーチ表示を行うことが選ばれた場合（ｓ３０７：ＹＥＳ）
第Ａテーブルから選択する（ｓ３０８）
この処理は，図１０におけるｓ１０７の処理と同様の処理
リーチ表示を行わないことが選ばれた場合（ｓ３０７：ＮＯ）
ＣＰＵ７２は
はずれ図柄の表示を
行わせる（ｓ３０９）
【００９６】次に，ｓ３０３の処理による
抽選で大当りが選ばれた場合（ｓ３０４：ＹＥＳ）
・・・
【００９８】次に，
ＣＰＵ７２は
第Ｂテーブルから選択する（ｓ３１２）
この処理は，図１０におけるｓ１１１の処理と同様の処理
ＣＰＵ７２は
大当り図柄の表示を
行わせる（ｓ３１３）
・・・
【０１０６】こうして，ｓ３２１の処理を終えた後，または，ｓ３０９の処理を終えた後，
ＣＰＵ７２は
変数Ｎは，ｓ３０３の処理で大当りかはずれかの抽選が行われる毎に１ずつ減算され
【０１０７】次に，ＣＰＵ７２は，変数Ｎの値をチェックする（ｓ３２３）。このｓ３２３の処理で変数Ｎが「０」より大きい値であれば（ｓ３２３：ＹＥＳ），ｓ３０２の処理に戻る。こうして，変数Ｎが「０」以下の値となるまで，つまり，
ｓ３０３の処理による抽選回数が
５５
回に到達するまでｓ３０２の処理以降の処理が繰り返し行われ
【０１０８】一方，ｓ３２３の処理で
変数Ｎが「０」以下の値であれば（ｓ３２３：ＮＯ）
【０１０９】そして，ｓ３２４の処理を終えた後，
ＣＰＵ７２は
第１通常遊技状態に移行する（ｓ３２５）
（１−ｇ）「【０１２３】・・・
［変形例］以上，本発明の実施形態について説明したが，本発明は上記の具体的な実施形態に限定されず，このほかにも様々な形態で実施することができる。
・・・
【０１２９】また，本実施形態においては，
図１２におけるｓ２１７の処理によりチェックされた大当り図柄が非特定大当り図柄であること
を終了条件として
第２通常遊技状態に移行する
ものを例示した
しかし
特別図柄遊技状態において所定回数の抽選（ｓ２０２の処理における抽選のこと）が行われた場合
を終了条件としてもよい
（１−ｈ）上記（１−ｅ）の段落【００７４】及び図１２の記載を参酌すると，上記（１−ｇ）の段落【０１２９】には，
ＣＰＵ７２は，特別遊技状態において，特別図柄遊技状態で所定回数の抽選（ｓ２０２の処理における抽選のこと）が行われた場合，特別遊技状態を終了して第２通常遊技状態に移行させ
ＣＰＵ７２は，第２通常遊技状態において，大当りかはずれかの抽選回数が５５回に到達すると，第１通常遊技状態に移行させ（ｓ３２５）
（１−ｉ）図１０，１２〜１３を参酌すると，上記（１−ｄ）の段落【００５８】〜【００６０】，【００６２】〜【００６５】，【００６７】〜【００６８】，上記（１−ｅ）の段落【００７４】〜【００７６】，【００７８】〜【００８０】，【００８２】〜【００８３】，上記（１−ｆ）の段落【００９０】〜【００９２】，【００９４】〜【００９６】及び【００９８】には，
ＣＰＵ７２は，特別遊技状態，第２通常遊技状態及び第１通常遊技状態において，大当りかはずれかの抽選を行い，抽選ではずれが選ばれた場合，リーチ表示を行うかどうかの抽選を行い，リーチ表示を行うことが選ばれた場合，テーブル（特別遊技状態の場合第Ｃテーブル［リーチ表示１，２，４，６から１０，１４から１６］，第２通常遊技状態及び第１通常遊技状態の場合第Ａテーブル［リーチ表示１，２，５から１０，１４から１６］）に登録されているリーチ表示のうち，設定された選択確率に基づいてリーチ表示が選択されてはずれ図柄の表示を行わせ，リーチ表示を行わないことが選ばれた場合，はずれ図柄の表示を行わせ，抽選で大当りが選ばれた場合，テーブル（特別遊技状態の場合第Ｄテーブル［リーチ表示３，６から１０，１３，１５，１６］，第２通常遊技状態及び第１通常遊技状態の場合第Ｂテーブル［リーチ表示１，３，６から１３，１５，１６］）に登録されているリーチ表示のうち，設定された選択確率に基づいてリーチ表示が選択され，大当り図柄の表示を行わせ
（１−ｊ）上記（１−ｆ）の段落【００９０】〜【００９２】，【００９４】〜【００９６】，【００９８】の記載，上記（１−ｈ）の認定事項及び図１３を参酌すると，第２通常遊技状態では，前記所定回数の次の回以降の表示を，大当りかはずれかの抽選，リーチ表示を行うかどうかの抽選，第Ａ，Ｂテーブル等に基づいて決めているから，
第２通常遊技状態
特別遊技状態を終了して前記所定回数＋１回目以降の表示を決める
ＣＰＵ７２は，第２通常遊技状態及び第１通常遊技状態において
大当りかはずれかの抽選を行い，抽選で大当りが選ばれた場合，第Ｂテーブルに登録されているリーチ表示１，３，６から１３，１５，１６（リーチ表示１１，１２は，第Ｃ，Ｄテーブルに登録されていない）のうち，設定された選択確率に基づいてリーチ表示が選択され，大当り図柄の表示を行わせる
大当り図柄が特定大当り図柄である場合に特別遊技状態に移行する第１通常遊技状態
　これらのこと，上記（１−ｈ）の認定事項，及び上記（１−ｆ）の段落【００９６】から，
ＣＰＵ７２は，特別遊技状態を終了して前記所定回数＋１回目以降の表示を決める第２通常遊技状態に移行し，大当りかはずれかの抽選を行い，抽選で大当りが選ばれた場合（ｓ３０４：ＹＥＳ），及び，第２通常遊技状態において，大当りかはずれかの抽選回数が５５回に到達し，大当り図柄が特定大当り図柄である場合に特別遊技状態に移行する第１通常遊技状態に移行させ（ｓ３２５），第１通常遊技状態において，抽選で大当りが選ばれた場合（ｓ１０３：ＹＥＳ），第Ｂテーブルに登録されているリーチ表示１，３，６から１３，１５，１６（リーチ表示１１，１２は，第Ｃ，Ｄテーブルに登録されていない）のうち，設定された選択確率に基づいてリーチ表示が選択され，大当り図柄の表示を行わせる
　上記（１−ａ）〜（１−ｇ）の記載事項，及び上記（１−ｈ）〜（１−ｊ）の認定事項から，刊行物には，次の発明（以下，「刊行物発明」という。）が開示されていると認められる。
「ＣＰＵ７２を備えたパチンコ遊技機１であって（段落【００４８】，【００５５】），
　ＣＰＵ７２は，遊技球が始動ゲート１０を通過する毎に作動し，普通図柄表示装置２０で，小当りかはずれかの抽選結果に対応する普通図柄を表示する普通図柄遊技を行わせると共に，可変入賞装置３０に遊技球が入賞することにより，特別図柄表示装置４０で，最終的に，大当り図柄，または，はずれ図柄で確定表示される特別図柄遊技を行わせ（段落【００４９】，【００５２】，【００５５】），
　ＣＰＵ７２は，遊技球が可変入賞装置３０に入賞したか判断される入賞センサ３６からの検出信号が入力されたか判断し，入賞したら，大当りかはずれかの抽選を行い（段落【００７５】），
　ＣＰＵ７２は，抽選で大当りが選ばれた場合，大当り遊技を実行させ（段落【００８０】，【００８４】，【００４８】），
　ＣＰＵ７２は，特別遊技状態において，特別図柄遊技状態で所定回数の抽選（ｓ２０２の処理における抽選のこと）が行われた場合，特別遊技状態を終了して第２通常遊技状態に移行させ，第２通常遊技状態において，大当りかはずれかの抽選回数が５５回に到達すると，第１通常遊技状態に移行させ（ｓ３２５）（認定事項（１−ｈ）），
　ＣＰＵ７２は，特別遊技状態，第２通常遊技状態及び第１通常遊技状態において，大当りかはずれかの抽選を行い，抽選ではずれが選ばれた場合，リーチ表示を行うかどうかの抽選を行い，リーチ表示を行うことが選ばれた場合，テーブル（特別遊技状態の場合第Ｃテーブル［リーチ表示１，２，４，６から１０，１４から１６］，第２通常遊技状態及び第１通常遊技状態の場合第Ａテーブル［リーチ表示１，２，５から１０，１４から１６］）に登録されているリーチ表示のうち，設定された選択確率に基づいてリーチ表示が選択されてはずれ図柄の表示を行わせ，リーチ表示を行わないことが選ばれた場合，はずれ図柄の表示を行わせ，抽選で大当りが選ばれた場合，テーブル（特別遊技状態の場合第Ｄテーブル［リーチ表示３，６から１０，１３，１５，１６］，第２通常遊技状態及び第１通常遊技状態の場合第Ｂテーブル［リーチ表示１，３，６から１３，１５，１６］）に登録されているリーチ表示のうち，設定された選択確率に基づいてリーチ表示が選択され，大当り図柄の表示を行わせ（認定事項（１−ｉ）），
　ＣＰＵ７２は，特別遊技状態を終了して前記所定回数＋１回目以降の表示を決める第２通常遊技状態に移行し，大当りかはずれかの抽選を行い，抽選で大当りが選ばれた場合（ｓ３０４：ＹＥＳ），及び，第２通常遊技状態において，大当りかはずれかの抽選回数が５５回に到達し，大当り図柄が特定大当り図柄である場合に特別遊技状態に移行する第１通常遊技状態に移行させ（ｓ３２５），第１通常遊技状態において，抽選で大当りが選ばれた場合（ｓ１０３：ＹＥＳ），第Ｂテーブルに登録されているリーチ表示１，３，６から１３，１５，１６（リーチ表示１１，１２は，第Ｃ，Ｄテーブルに登録されていない）のうち，設定された選択確率に基づいてリーチ表示が選択され，大当り図柄の表示を行わせる（認定事項（１−ｊ）），
パチンコ遊技機１。」
４　対比
　本願発明と刊行物発明とを対比する（以下，刊行物発明，本願発明を，それぞれ「前者」，「後者」という。）。
ア　前者における「技球が始動ゲート１０を通過する毎に作動し，普通図柄表示装置２０で，小当りかはずれかの抽選結果に対応する普通図柄を表示する普通図柄遊技」及び「可変入賞装置３０に遊技球が入賞することにより，特別図柄表示装置４０で，最終的に，大当り図柄，または，はずれ図柄で確定表示される特別図柄遊技」は，後者における「図柄変動遊技」に相当する。
　また，前者における「普通図柄遊技」及び「特別図柄遊技」を行う「ＣＰＵ７２」は，後者における「図柄変動遊技実行手段」に相当する。
　これらのことから，前者における「遊技球が始動ゲート１０を通過する毎に作動し，普通図柄表示装置２０で，小当りかはずれかの抽選結果に対応する普通図柄を表示する普通図柄遊技を行わせると共に，可変入賞装置３０に遊技球が入賞することにより，特別図柄表示装置４０で，最終的に，大当り図柄，または，はずれ図柄で確定表示される特別図柄遊技を行わせ」る「ＣＰＵ７２」は，後者における「図柄変動遊技を行う図柄変動遊技実行手段」としての機能を有するものである。
　
イ　前者における「遊技球が可変入賞装置３０に入賞したか判断される入賞センサ３６からの検出信号」及び「大当りかはずれかの抽選を行」う「ＣＰＵ７２」は，それぞれ，後者における「所定の始動信号」及び「大当たりまたははずれの抽選を行う大当たり抽選手段」に相当する。
　このことから，前者における「技球が可変入賞装置３０に入賞したか判断される入賞センサ３６からの検出信号が入力されたか判断し，入賞したら，大当りかはずれかの抽選を行」う「ＣＰＵ７２」は，後者における「所定の始動信号の入力に基づき，大当たりまたははずれの抽選を行う大当たり抽選手段」としての機能を有するものである。
ウ　前者における「大当り遊技を実行させ」る「ＣＰＵ７２」及び「パチンコ遊技機１」は，それぞれ，後者における「所定の大当たり遊技を提供する大当たり遊技提供手段」及び「遊技機」に相当する。
　このことから，前者における「抽選で大当りが選ばれた場合，大当り遊技を実行させ」る「ＣＰＵ７２」及び「ＣＰＵ７２を備えたパチンコ遊技機」は，後者における「前記大当たり抽選手段による抽選結果が大当たりである場合に，所定の大当たり遊技を提供する大当たり遊技提供手段と，を備えた遊技機」に相当する。
エ　ここで，まず後者における「当該遊技機による遊技の期間である遊技期間を計測する期間計測手段」という記載について検討する。
　本願明細書の段落【０００９】には「なお，上述した
期間計測手段は
大当たり抽選手段による抽選回数
を計測するカウンタ
で構成する
図３における
ｓ１２０の処理は本発明における期間計測手段であり
遊技回数を積算し（ｓ１２０）
ｓ１２０の処理では，回数変数Ａに「１」を加算することにより（Ａ＋１→Ａ），遊技回数を積算する
　これらの記載から，後者における「遊技の期間である遊技期間を計測する期間計測手段」は，大当たり抽選手段による抽選回数を計測するものが含まれているといえる。
　次に，前者における「特別遊技状態において，特別図柄遊技状態で所定回数の抽選（ｓ２０２の処理における抽選のこと）が行われた場合，特別遊技状態を終了して第２通常遊技状態に移行させ，第２通常遊技状態において，大当りかはずれかの抽選回数が５５回に到達すると，第１通常遊技状態に移行させ（ｓ３２５）」る「ＣＰＵ７２」と，後者における「当該遊技機による遊技の期間である遊技期間を計測する期間計測手段」とを対比する。
　前者における「ＣＰＵ７２は，特別遊技状態において，特別図柄遊技状態で所定回数の抽選（ｓ２０２の処理における抽選のこと）が行われた場合，特別遊技状態を終了して第２通常遊技状態に移行させ，第２通常遊技状態において，大当りかはずれかの抽選回数が５５回に到達すると，第１通常遊技状態に移行させ（ｓ３２５）」るから，「特別図柄遊技状態」及び「第２通常遊技状態において」「所定回数」及び「５５回」の抽選が行われる期間である「遊技機による遊技の期間である遊技期間」を計測しているといえる。
　このことから，前者における「特別遊技状態において，特別図柄遊技状態で所定回数の抽選（ｓ２０２の処理における抽選のこと）が行われた場合，特別遊技状態を終了して第２通常遊技状態に移行させ，第２通常遊技状態において，大当りかはずれかの抽選回数が５５回に到達すると，第１通常遊技状態に移行させ（ｓ３２５）」る「ＣＰＵ７２」は，後者における「当該遊技機による遊技の期間である遊技期間を計測する期間計測手段」としての機能を有するものである。
オ　前者における「ＣＰＵ７２は，特別遊技状態，第２通常遊技状態及び第１通常遊技状態において，大当りかはずれかの抽選を行い，抽選ではずれが選ばれた場合，リーチ表示を行うかどうかの抽選を行い，リーチ表示を行うことが選ばれた場合，テーブル（特別遊技状態の場合第Ｃテーブル［リーチ表示１，２，４，６から１０，１４から１６］，第２通常遊技状態及び第１通常遊技状態の場合第Ａテーブル［リーチ表示１，２，５から１０，１４から１６］）に登録されているリーチ表示のうち，設定された選択確率に基づいてリーチ表示が選択されてはずれ図柄の表示を行わせ，リーチ表示を行わないことが選ばれた場合，はずれ図柄の表示を行わせ，抽選で大当りが選ばれた場合，テーブル（特別遊技状態の場合第Ｄテーブル［リーチ表示３，６から１０，１３，１５，１６］，第２通常遊技状態及び第１通常遊技状態の場合第Ｂテーブル［リーチ表示１，３，６から１３，１５，１６］）に登録されているリーチ表示のうち，設定された選択確率に基づいてリーチ表示が選択され，大当り図柄の表示を行わせ」る「ＣＰＵ７２」は，各種テーブル（Ａ〜Ｄ）のそれぞれに，選択される複数種類のリーチ表示が登録されているから，後者における「前記図柄変動遊技における態様を複数の態様の中から抽選する態様抽選手段」としての機能を有するものである。　
カ　ところで，後者における「該期間計測手段による計測値が所定値に到達し，前記抽選結果が大当たりである場合」という記載について検討する。
　本願明細書の段落【００４５】には「そして，このｓ１３０の処理では，回数変数Ａにセットされている遊技回数が，上限変数Ｌにセットされている
上限回数以上
上限回数に到達した以降
上限回数に達した以降
上限回数まで達した以降
　また，「前記抽選結果が大当たりである場合」とは，「大当たり抽選手段による抽選結果が大当たりである場合」のことであり，遊技機の技術分野の技術常識を考慮すると，遊技回数が所定回数（例えば，５００回）のタイミングで，大当たり抽選手段による抽選結果が必ず大当たりになるとはいえない。　
　これらのことから，後者における「該期間計測手段による計測値が所定値に到達し，前記抽選結果が大当たりである場合」という記載は，該期間計測手段による計測値が所定値に到達した以降に，前記抽選結果が大当たりになった場合を意味するといえる。
　そして，前者における「特別遊技状態を終了して前記所定回数＋１回目以降の表示を決める第２通常遊技状態に移行し，大当りかはずれかの抽選を行い，抽選で大当りが選ばれた場合（ｓ３０４：ＹＥＳ），及び，第２通常遊技状態において，大当りかはずれかの抽選回数が「５５」回に到達し，第１通常遊技状態に移行させ（ｓ３２５），大当り図柄が特定大当り図柄である場合に特別遊技状態に移行する第１通常遊技状態において，抽選で大当りが選ばれた場合（ｓ１０３：ＹＥＳ），第Ｂテーブルに登録されているリーチ表示１，３，６から１３，１５，１６（リーチ表示１１，１２は，第Ｃ，Ｄテーブルに登録されていない）のうち，設定された選択確率に基づいてリーチ表示が選択され，大当り図柄の表示を行わせる」「ＣＰＵ７２」と，後者における「該期間計測手段による計測値が所定値に到達し，前記抽選結果が大当たりである場合，前記複数の態様は，前記計測値が前記所定値に未到達のときには含まれない態様を含むこと」とを対比する。
　前者において，第Ｂテーブルを用いてリーチ表示を選択可能になるのは，「第２通常遊技状態に移行し」た後の「前記所定回数＋１回目以降」の「大当りかはずれかの抽選を行」ったときであるから，前者における「前記所定回数＋１回」は，後者における「所定値」に相当する。
　また，上記２　（１−ｊ）において言及した「前記所定回数＋１回」は，後者における「期間計測手段」としての機能を有する「ＣＰＵ７２」で計測されていることは明らかである。
　これらのことから，前者における「前記所定回数＋１回目以降の表示を決める第２通常遊技状態に移行し，大当りかはずれかの抽選を行」ったときは，後者における「該期間計測手段による計測値が所定値に到達し」たときに相当する。
　また，前者における「抽選で大当りが選ばれた場合（ｓ３０４：ＹＥＳ）」は，後者における「前記抽選結果が大当たりである場合」に相当する。　　
　そして，前者における「第Ｃ，Ｄテーブル」は，「所定回数＋１回」に到達する前の特別遊技状態で使用するテーブルであり，前者における「前記所定回数＋１回目以降」の第２通常遊技状態及び第１通常遊技状態において抽選で大当りが選ばれた場合に使用する「第Ｂテーブル」には，「第Ｃ，Ｄテーブル」に登録されていない「リーチ表示１１，１２」が含まれている。
　これらのことから，前者における「第Ｂテーブルに登録されているリーチ表示１，３，６から１３，１５，１６（リーチ表示１１，１２は，第Ｃ，Ｄテーブルに登録されていない）のうち，設定された選択確率に基づいてリーチ表示が選択され，大当り図柄の表示を行わせる」ことは，後者における「前記複数の態様は，前記計測値が前記所定値に未到達のときには含まれない態様を含むこと」に相当する。
　以上のことから，前者における「特別遊技状態を終了して前記所定回数＋１回目以降の表示を決める第２通常遊技状態に移行し，大当りかはずれかの抽選を行い，抽選で大当りが選ばれた場合（ｓ３０４：ＹＥＳ），及び，第２通常遊技状態において，大当りかはずれかの抽選回数が「５５」回に到達し，大当り図柄が特定大当り図柄である場合に特別遊技状態に移行する第１通常遊技状態に移行させ（ｓ３２５），第１通常遊技状態において，抽選で大当りが選ばれた場合（ｓ１０３：ＹＥＳ），第Ｂテーブルに登録されているリーチ表示１，３，６から１３，１５，１６（リーチ表示１１，１２は，第Ｃ，Ｄテーブルに登録されていない）のうち，設定された選択確率に基づいてリーチ表示が選択され，大当り図柄の表示を行わせる」ことは，後者における「該期間計測手段による計測値が所定値に到達し，前記抽選結果が大当たりである場合，前記複数の態様は，前記計測値が前記所定値に未到達のときには含まれない態様を含むこと」に相当する。
キ　上記ア〜カから，本願発明と刊行物発明とは，
［一致点］
「図柄変動遊技を行う図柄変動遊技実行手段と，
　所定の始動信号の入力に基づき，大当たりまたははずれの抽選を行う大当たり抽選手段と，
　前記大当たり抽選手段による抽選結果が大当たりである場合に，所定の大当たり遊技を提供する大当たり遊技提供手段と，を備えた遊技機であって，
　当該遊技機による遊技の期間である遊技期間を計測する期間計測手段と，
　前記図柄変動遊技における態様を複数の態様の中から抽選する態様抽選手段と，を備え，
　該期間計測手段による計測値が所定値に到達し，前記抽選結果が大当たりである場合，前記複数の態様は，前記計測値が前記所定値に未到達のときには含まれない態様を含むことを特徴とする遊技機。」
　である点で一致し，相違点はない。
５　審判請求人の主張について
　審判請求人は，平成２８年５月１２日付け意見書において，「本願発明１と引用文献２（平成２８年３月２８日付け拒絶理由通知書の「刊行物２」に相当）の記載とを対比しますと，本願発明１の構成のうち，少なくとも，以下の相違点３の構成は，引用文献２には記載されていないという点で相違します。
（相違点３）
「該期間計測手段による計測値が所定値に到達し，前記抽選結果が大当たりである場合，前記複数の態様は，前記計測値が前記所定値に未到達のときには含まれない態様を含むこと」
　なお，引用文献２の段落０１２９の記載において，特別遊技状態から第２通常遊技状態へ移行する条件には，「前記抽選結果が大当たりである場合」（上記相違点３の構成の一部）は含まれていません。」（第２頁下から５行〜第３頁第４行）と主張している。
　しかしながら，上記４　カにおいて既に検討したように，「該期間計測手段による計測値が所定値に到達し，前記抽選結果が大当たりである場合」は，該期間計測手段による計測値が所定値に到達した以降の，前記抽選結果が大当りである場合を意味するものであり，刊行物発明（刊行物２に記載された発明）は，請求人が相違点３と主張する構成に相当する「特別遊技状態を終了して前記所定回数＋１回目以降の表示を決める第２通常遊技状態に移行し，大当りかはずれかの抽選を行い，抽選で大当りが選ばれた場合（ｓ３０４：ＹＥＳ），及び，第２通常遊技状態において，大当りかはずれかの抽選回数が「５５」回に到達し，大当り図柄が特定大当り図柄である場合に特別遊技状態に移行する第１通常遊技状態に移行させ（ｓ３２５），第１通常遊技状態において，抽選で大当りが選ばれた場合（ｓ１０３：ＹＥＳ），第Ｂテーブルに登録されているリーチ表示１，３，６から１３，１５，１６（リーチ表示１１，１２は，第Ｃ，Ｄテーブルに登録されていない）のうち，設定された選択確率に基づいてリーチ表示が選択され，大当り図柄の表示を行わせる」構成を有しており，相違点はない。
　したがって，請求人の主張は，採用できない。
６　まとめ
　よって，本願発明は，上記刊行物に記載された発明である。
第３　むすび
　以上のとおりであるから，本願発明は，特許法第２９条第１項第３号の規定により特許を受けることができない。
　したがって，その余の請求項について検討するまでもなく，本願は，拒絶されるべきものである。  
　よって，結論のとおり審決する。